(57)【要約】【課題】ネットワークデバイスにおけるパラメータコピーの詳細な実行結果を容易に確認することが可能なパラメータ処理装置およびそのパラメータ設定方法を提供する。【解決手段】第２のデバイスのパラメータ処理装置のログ処理部はパラメータコピーの実行結果を記録したログに基づいてパラメータコピー実行反映結果を作成し、作成したパラメータコピー実行反映結果を通信制御部に渡し、通信制御部はパラメータコピー実行反映結果を受け取ると、電子メール処理手段はパラメータコピー実行反映結果を添付した電子メールを作成し、通信制御部はパラメータコピー実行反映結果を添付した電子メールをクライアントＰＣ宛に送信し、電子メールサーバは第２のデバイスからの電子メールをクライアントＰＣに送信し、クライアントＰＣは電子メールを受信する。【選択図】図２
2005301612.tif 000002
【特許請求の範囲】
【請求項１】
ネットワークに接続するネットワークデバイスに設定されているパラメータを処理するパラメータ処理装置において、
前記ネットワークに接続する他のネットワークデバイスから送信されたパラメータを受信するパラメータ受信手段と、
前記パラメータ受信手段で受信したパラメータを前記ネットワークデバイスに設定するパラメータ設定手段と、
前記パラメータ設定手段による前記パラメータの設定の実行反映結果をログとして記録するログ記録手段と、
前記ログ記録手段で記録した前記パラメータの設定の実行反映結果を任意のプロトコルで予め指定された通知先に通知する実行反映結果通知手段と
を具備することを特徴とするパラメータ処理装置。
【請求項２】
前記ネットワークに接続する情報処理装置が有するＷｅｂブラウザとＷｅｂ情報の応答処理を行うＷｅｂサーバ手段
を更に具備し、
前記Ｗｅｂサーバ手段は、
前記ログ記録手段で記録した前記パラメータの設定の実行反映結果に基づき、パラメータ設定実行反映結果Ｗｅｂページを作成し、
前記実行反映結果通知手段は、
前記Ｗｅｂサーバ手段で作成したパラメータ設定実行反映結果Ｗｅｂページの格納場所を示す位置情報を前記任意のプロトコルで予め指定された通知先に通知する
ことを特徴とする請求項１記載のパラメータ処理装置。
【請求項３】
前記ネットワークデバイスに設定されているパラメータを読み出すパラメータ読出し手段と、
前記パラメータ読出し手段が読み出したパラメータを前記ネットワークに接続する複数のネットワークデバイスに送信する送信手段と、
前記複数のネットワークデバイスから前記任意のプロトコルで通知されたパラメータの設定の実行反映結果を受信する実行反映結果受信手段と
を更に具備することを特徴とする請求項１記載のパラメータ処理装置。
【請求項４】
前記ネットワークに接続する情報処理装置が有するＷｅｂブラウザとＷｅｂ情報の応答処理を行うＷｅｂサーバ手段
を更に具備し、
Ｗｅｂサーバ手段は、
前記パラメータの設定の実行反映結果に基づき、パラメータ設定実行反映結果Ｗｅｂページを作成し、
該作成したパラメータ設定実行反映結果Ｗｅｂページを前記Ｗｅｂブラウザに送信する
ことを特徴とする請求項３記載のパラメータ処理装置。
【請求項５】
前記ネットワークデバイスが印刷装置である場合、
前記パラメータの設定の実行反映結果を印刷する
ことを特徴とする請求項３記載のパラメータ処理装置。
【請求項６】
前記パラメータの設定の実行暗影結果の通知先および通知方法を指定する指定手段
を更に具備することを特徴とする請求項３記載のパラメータ処理装置。
【請求項７】
前記パラメータは、
前記ネットワークデバイスの機能に対する設定値、若しくはファームウェア等のアプリケーションである
ことを特徴とする請求項１記載のパラメータ処理装置。
【請求項８】
前記パラメータ受信手段がパラメータを受信した際に、該パラメータの受信結果を任意のプロトコルで予め指定された通知先に通知する受信結果通知手段
を更に具備することを特徴とする請求項１記載のパラメータ処理装置。
【請求項９】
前記ネットワークに接続する情報処理装置が有するＷｅｂブラウザとＷｅｂ情報の応答処理を行うＷｅｂサーバ手段
を更に具備し、
前記Ｗｅｂサーバ手段は、
前記パラメータの受信結果に基づき、パラメータ受信結果Ｗｅｂページを作成し、
前記受信結果通知手段は、
前記Ｗｅｂサーバ手段で作成したパラメータ受信結果Ｗｅｂページの格納場所を示す位置情報を前記任意のプロトコルで予め指定された通知先に通知する
ことを特徴とする請求項８記載のパラメータ処理装置。
【請求項１０】
前記ネットワークデバイスに設定されているパラメータを読み出すパラメータ読出し手段と、
前記パラメータ読出し手段が読み出したパラメータを前記ネットワークに接続する複数のネットワークデバイスに送信する送信手段と、
前記複数のネットワークデバイスから前記任意のプロトコルで通知されたパラメータの受信結果を受信する受信結果受信手段と
を更に具備することを特徴とする請求項８記載のパラメータ処理装置。
【請求項１１】
前記ネットワークに接続する情報処理装置が有するＷｅｂブラウザとＷｅｂ情報の応答処理を行うＷｅｂサーバ手段
を更に具備し、
Ｗｅｂサーバ手段は、
前記パラメータの受信結果に基づき、パラメータ受信結果Ｗｅｂページを作成し、
該作成したパラメータ受信結果Ｗｅｂページを前記Ｗｅｂブラウザに送信する
ことを特徴とする請求項１０記載のパラメータ処理装置。
【請求項１２】
前記ネットワークデバイスが印刷装置である場合、
前記パラメータの受信結果を印刷する
ことを特徴とする請求項１０記載のパラメータ処理装置。
【請求項１３】
前記パラメータの受信結果の通知先および通知方法を指定する指定手段
ことを特徴とする請求項１０記載のパラメータ処理装置。
【請求項１４】
前記パラメータは、
前記ネットワークデバイスの機能に対する設定値、若しくはファームウェア等のアプリケーションである
ことを特徴とする請求項１記載のパラメータ処理装置。
【請求項１５】
ネットワークに接続するネットワークデバイスに設定されているパラメータを処理するパラメータ処理装置のパラメータ設定方法において、
前記ネットワークに接続する他のネットワークデバイスから送信されたパラメータを受信し、
該受信したパラメータを前記ネットワークデバイスに設定し、
前記パラメータの設定の実行反映結果をログとして記録し、
前記ログとして記録した前記パラメータの設定の実行反映結果を任意のプロトコルで予め指定された通知先に通知する
ことを特徴とするパラメータ処理装置のパラメータ設定方法。
【請求項１６】
前記ログとして記録した前記パラメータの設定の実行反映結果に基づき、パラメータ設定実行反映結果Ｗｅｂページを作成し、
該作成したパラメータ設定実行反映結果Ｗｅｂページの格納場所を示す位置情報を前記任意のプロトコルで予め指定された通知先に通知する
ことを特徴とする請求項１５記載のパラメータ処理装置のパラメータ設定方法。
【請求項１７】
前記ネットワークデバイスに設定されているパラメータを読み出し、
該読み出したパラメータを前記ネットワークに接続する複数のネットワークデバイスに送信し、
前記複数のネットワークデバイスから前記任意のプロトコルで通知されたパラメータの設定の実行反映結果を受信する
ことを特徴とする請求項１５記載のパラメータ処理装置のパラメータ設定方法。
【請求項１８】
前記パラメータの設定の実行反映結果に基づき、パラメータ設定実行反映結果Ｗｅｂページを作成し、
該作成したパラメータ設定実行反映結果Ｗｅｂページを前記ネットワークに接続する情報処理装置が有するＷｅｂブラウザに送信する
ことを特徴とする請求項１７記載のパラメータ処理装置のパラメータ設定方法。
【請求項１９】
前記ネットワークデバイスが印刷装置である場合、
前記パラメータの設定の実行反映結果を印刷する
ことを特徴とする請求項１７記載のパラメータ処理装置のパラメータ設定方法。
【請求項２０】
前記パラメータの設定の実行暗影結果の通知先および通知方法を指定する
ことを特徴とする請求項１７記載のパラメータ処理装置のパラメータ設定方法。
【請求項２１】
前記パラメータは、
前記ネットワークデバイスの機能に対する設定値、若しくはファームウェア等のアプリケーションである
ことを特徴とする請求項１５記載のパラメータ処理装置のパラメータ設定方法。
【請求項２２】
前記パラメータを受信した際に、該パラメータの受信結果を任意のプロトコルで予め指定された通知先に通知する
ことを特徴とする請求項１５記載のパラメータ処理装置のパラメータ設定方法。
【請求項２３】
前記パラメータの受信結果に基づき、パラメータ設定実行反映結果Ｗｅｂページを作成し、
該作成したパラメータ受信結果Ｗｅｂページの格納場所を示す位置情報を前記任意のプロトコルで予め指定された通知先に通知する
ことを特徴とする請求項２２記載のパラメータ処理装置のパラメータ設定方法。
【請求項２４】
前記ネットワークデバイスに設定されているパラメータを読み出し、
該読み出したパラメータを前記ネットワークに接続する複数のネットワークデバイスに送信し、
前記複数のネットワークデバイスから前記任意のプロトコルで通知されたパラメータの受信結果を受信する
ことを特徴とする請求項２２記載のパラメータ処理装置のパラメータ設定方法。
【請求項２５】
前記パラメータの受信結果に基づき、パラメータ受信結果Ｗｅｂページを作成し、
該作成したパラメータ受信結果Ｗｅｂページを前記ネットワークに接続する情報処理装置が有するＷｅｂブラウザに送信する
ことを特徴とする請求項２４記載のパラメータ処理装置のパラメータ設定方法。
【請求項２６】
前記ネットワークデバイスが印刷装置である場合、
前記パラメータの受信結果を印刷する
ことを特徴とする請求項２４記載のパラメータ処理装置のパラメータ設定方法。
【請求項２７】
前記パラメータの受信結果の通知先および通知方法を指定する
ことを特徴とする請求項２４記載のパラメータ処理装置のパラメータ設定方法。
【請求項２８】
前記パラメータは、
前記ネットワークデバイスの機能に対する設定値、若しくはファームウェア等のアプリケーションである
ことを特徴とする請求項１５記載のパラメータ処理装置のパラメータ設定方法。
【発明の詳細な説明】
【技術分野】
【０００１】
本発明は、パラメータ処理装置およびそのパラメータ設定方法に関し、特に、ネットワーク上の複数のネットワークデバイスのパラメータを設定するパラメータ処理装置およびそのパラメータ設定方法に関する。
【背景技術】
【０００２】
従来、ＬＡＮ（Local Area Network）等のネットワークを介して複数のＰＣ（Personal Computer）とプリンタ、スキャナ等のネットワークデバイスとが接続し、複数のＰＣがこれらネットワークデバイスを共有するネットワークデバイスシステムが知られている。
【０００３】
このようなネットワークデバイスシステムにおいて、例えば、ネットワークデバイスが有する項目に対して設定値（以下、パラメータという）を設定する場合には、ネットワークデバイスの管理者等が１台ずつネットワークデバイスに対するパラメータの設定を実行する必要がある。
【０００４】
上記のような課題を解決するために、例えば、任意のネットワークデバイスに対して設定されているパラメータをコピーして他のネットワークデバイスに設定するデフォルト装置、プリンタ及びプリンタ構成提供方法がある（例えば、特許文献１参照。）。
【特許文献１】特開平６−２１４７３４号公報
【発明の開示】
【発明が解決しようとする課題】
【０００５】
しかし、上記特許文献１に開示された技術では、ネットワークデバイスにおけるパラメータコピーの詳細な実行結果を知る構成がないため、管理者等が１台ずつネットワークデバイスにおけるパラメータコピーの詳細な実行結果を確認する必要があった。
【０００６】
そこで、本発明は、ネットワークデバイスにおけるパラメータコピーの詳細な実行結果を容易に確認することが可能なパラメータ処理装置およびそのパラメータ設定方法を提供することを目的とする。
【課題を解決するための手段】
【０００７】
上記目的を達成するため、請求項１の発明は、ネットワークに接続するネットワークデバイスに設定されているパラメータを処理するパラメータ処理装置において、前記ネットワークに接続する他のネットワークデバイスから送信されたパラメータを受信するパラメータ受信手段と、前記パラメータ受信手段で受信したパラメータを前記ネットワークデバイスに設定するパラメータ設定手段と、前記パラメータ設定手段による前記パラメータの設定の実行反映結果をログとして記録するログ記録手段と、前記ログ記録手段で記録した前記パラメータの設定の実行反映結果を任意のプロトコルで予め指定された通知先に通知する実行反映結果通知手段とを具備することを特徴とする。
【０００８】
また、請求項２の発明は、請求項１の発明において、前記ネットワークに接続する情報処理装置が有するＷｅｂブラウザとＷｅｂ情報の応答処理を行うＷｅｂサーバ手段を更に具備し、前記Ｗｅｂサーバ手段は、前記ログ記録手段で記録した前記パラメータの設定の実行反映結果に基づき、パラメータ設定実行反映結果Ｗｅｂページを作成し、前記実行反映結果通知手段は、前記Ｗｅｂサーバ手段で作成したパラメータ設定実行反映結果Ｗｅｂページの格納場所を示す位置情報を前記任意のプロトコルで予め指定された通知先に通知することを特徴とする。
【０００９】
また、請求項３の発明は、請求項１の発明において、前記ネットワークデバイスに設定されているパラメータを読み出すパラメータ読出し手段と、前記パラメータ読出し手段が読み出したパラメータを前記ネットワークに接続する複数のネットワークデバイスに送信する送信手段と、前記複数のネットワークデバイスから前記任意のプロトコルで通知されたパラメータの設定の実行反映結果を受信する実行反映結果受信手段とを更に具備することを特徴とする。
【００１０】
また、請求項４の発明は、請求項３の発明において、前記ネットワークに接続する情報処理装置が有するＷｅｂブラウザとＷｅｂ情報の応答処理を行うＷｅｂサーバ手段を更に具備し、Ｗｅｂサーバ手段は、前記パラメータの設定の実行反映結果に基づき、パラメータ設定実行反映結果Ｗｅｂページを作成し、該作成したパラメータ設定実行反映結果Ｗｅｂページを前記Ｗｅｂブラウザに送信することを特徴とする。
【００１１】
また、請求項５の発明は、請求項３の発明において、前記ネットワークデバイスが印刷装置である場合、前記パラメータの設定の実行反映結果を印刷することを特徴とする。
【００１２】
また、請求項６の発明は、請求項３の発明において、前記パラメータの設定の実行暗影結果の通知先および通知方法を指定する指定手段を更に具備することを特徴とする。
【００１３】
また、請求項７の発明は、請求項１の発明において、前記パラメータは、前記ネットワークデバイスの機能に対する設定値、若しくはファームウェア等のアプリケーションであることを特徴とする。
【００１４】
また、請求項８の発明は、請求項１の発明において、前記パラメータ受信手段がパラメータを受信した際に、該パラメータの受信結果を任意のプロトコルで予め指定された通知先に通知する受信結果通知手段を更に具備することを特徴とする。
【００１５】
また、請求項９の発明は、請求項８の発明において、前記ネットワークに接続する情報処理装置が有するＷｅｂブラウザとＷｅｂ情報の応答処理を行うＷｅｂサーバ手段を更に具備し、前記Ｗｅｂサーバ手段は、前記パラメータの受信結果に基づき、パラメータ受信結果Ｗｅｂページを作成し、前記受信結果通知手段は、前記Ｗｅｂサーバ手段で作成したパラメータ受信結果Ｗｅｂページの格納場所を示す位置情報を前記任意のプロトコルで予め指定された通知先に通知することを特徴とする。
【００１６】
また、請求項１０の発明は、請求項８の発明において、前記ネットワークデバイスに設定されているパラメータを読み出すパラメータ読出し手段と、前記パラメータ読出し手段が読み出したパラメータを前記ネットワークに接続する複数のネットワークデバイスに送信する送信手段と、前記複数のネットワークデバイスから前記任意のプロトコルで通知されたパラメータの受信結果を受信する受信結果受信手段とを更に具備することを特徴とする。
【００１７】
また、請求項１１の発明は、請求項１０の発明において、前記ネットワークに接続する情報処理装置が有するＷｅｂブラウザとＷｅｂ情報の応答処理を行うＷｅｂサーバ手段を更に具備し、Ｗｅｂサーバ手段は、前記パラメータの受信結果に基づき、パラメータ受信結果Ｗｅｂページを作成し、該作成したパラメータ受信結果Ｗｅｂページを前記Ｗｅｂブラウザに送信することを特徴とする。
【００１８】
また、請求項１２の発明は、請求項１０の発明において、前記ネットワークデバイスが印刷装置である場合、前記パラメータの受信結果を印刷することを特徴とする。
【００１９】
また、請求項１３の発明は、請求項１０の発明において、前記パラメータの受信結果の通知先および通知方法を指定する指定手段ことを特徴とする。
【００２０】
また、請求項１４の発明は、請求項１の発明において、前記パラメータは、前記ネットワークデバイスの機能に対する設定値、若しくはファームウェア等のアプリケーションであることを特徴とする。
【００２１】
また、請求項１５の発明は、ネットワークに接続するネットワークデバイスに設定されているパラメータを処理するパラメータ処理装置のパラメータ設定方法において、前記ネットワークに接続する他のネットワークデバイスから送信されたパラメータを受信し、該受信したパラメータを前記ネットワークデバイスに設定し、前記パラメータの設定の実行反映結果をログとして記録し、前記ログとして記録した前記パラメータの設定の実行反映結果を任意のプロトコルで予め指定された通知先に通知することを特徴とする。
【００２２】
また、請求項１６の発明は、請求項１５の発明において、前記ログとして記録した前記パラメータの設定の実行反映結果に基づき、パラメータ設定実行反映結果Ｗｅｂページを作成し、該作成したパラメータ設定実行反映結果Ｗｅｂページの格納場所を示す位置情報を前記任意のプロトコルで予め指定された通知先に通知することを特徴とする。
【００２３】
また、請求項１７の発明は、請求項１５の発明において、前記ネットワークデバイスに設定されているパラメータを読み出し、該読み出したパラメータを前記ネットワークに接続する複数のネットワークデバイスに送信し、前記複数のネットワークデバイスから前記任意のプロトコルで通知されたパラメータの設定の実行反映結果を受信することを特徴とする。
【００２４】
また、請求項１８の発明は、請求項１７の発明において、前記パラメータの設定の実行反映結果に基づき、パラメータ設定実行反映結果Ｗｅｂページを作成し、該作成したパラメータ設定実行反映結果Ｗｅｂページを前記ネットワークに接続する情報処理装置が有するＷｅｂブラウザに送信することを特徴とする。
【００２５】
また、請求項１９の発明は、請求項１７の発明において、前記ネットワークデバイスが印刷装置である場合、前記パラメータの設定の実行反映結果を印刷することを特徴とする。
【００２６】
また、請求項２０の発明は、請求項１７の発明において、前記パラメータの設定の実行暗影結果の通知先および通知方法を指定することを特徴とする。
【００２７】
また、請求項２１の発明は、請求項１５の発明において、前記パラメータは、前記ネットワークデバイスの機能に対する設定値、若しくはファームウェア等のアプリケーションであることを特徴とする。
【００２８】
また、請求項２２の発明は、請求項１５の発明において、前記パラメータを受信した際に、該パラメータの受信結果を任意のプロトコルで予め指定された通知先に通知することを特徴とする。
【００２９】
また、請求項２３の発明は、請求項２２の発明において、前記パラメータの受信結果に基づき、パラメータ設定実行反映結果Ｗｅｂページを作成し、該作成したパラメータ受信結果Ｗｅｂページの格納場所を示す位置情報を前記任意のプロトコルで予め指定された通知先に通知することを特徴とする。
【００３０】
また、請求項２４の発明は、請求項２２の発明において、前記ネットワークデバイスに設定されているパラメータを読み出し、該読み出したパラメータを前記ネットワークに接続する複数のネットワークデバイスに送信し、前記複数のネットワークデバイスから前記任意のプロトコルで通知されたパラメータの受信結果を受信することを特徴とする。
【００３１】
また、請求項２５の発明は、請求項２４の発明において、前記パラメータの受信結果に基づき、パラメータ受信結果Ｗｅｂページを作成し、該作成したパラメータ受信結果Ｗｅｂページを前記ネットワークに接続する情報処理装置が有するＷｅｂブラウザに送信することを特徴とする。
【００３２】
また、請求項２６の発明は、請求項２４の発明において、前記ネットワークデバイスが印刷装置である場合、前記パラメータの受信結果を印刷することを特徴とする。
【００３３】
また、請求項２７の発明は、請求項２４の発明において、前記パラメータの受信結果の通知先および通知方法を指定することを特徴とする。
【００３４】
また、請求項２８の発明は、請求項１５の発明において、前記パラメータは、前記ネットワークデバイスの機能に対する設定値、若しくはファームウェア等のアプリケーションであることを特徴とする。
【発明の効果】
【００３５】
本発明によれば、管理者等のユーザがパラメータコピーが実行されたネットワークデバイスからパラメータコピー実行反映結果を添付した電子メールを受信し、受信した電子メールを参照することで、ネットワークデバイスにおけるパラメータコピーの詳細な実行結果を容易に確認することが可能になるという効果を奏する。
【発明を実施するための最良の形態】
【００３６】
以下、本発明の実施の形態について添付図面を参照して詳細に説明する。
【００３７】
本発明の実施の形態として、本発明に係るパラメータ処理装置を内蔵する複数のネットワークデバイス（以下、デバイスという）とクライアントＰＣ（Personal Computer）とがネットワークを介して接続する構成を一例にして詳細に説明する。
【００３８】
図１は、複数のデバイス１とクライアントＰＣ２と電子メールサーバ３とがネットワーク４を介して接続する構成の一例を示す図である。
【００３９】
図１に示すように、パラメータ処理装置５を内蔵する複数のデバイス（第１のデバイス、第２のデバイス、第３のデバイス）と、パラメータ処理装置５に対してパラメータ６のコピー等を指示するクライアントＰＣ２と電子メールの送受信を行う電子メールサーバ３がネットワーク４を介して接続している。
【００４０】
ここで、パラメータ処理装置５はデバイス１に設定されたパラメータ６をコピーして他のデバイス１に設定する処理を行う。例えば、クライアントＰＣ２から第１のデバイス１に設定されたパラメータ（設定値１：ａａａ、設定値２：ｂｂｂ、設定値３：ｃｃｃ、…、設定値ｎ：ｎｎｎ）をコピーして第２のデバイスおよび第３のデバイスに設定するように指示されると、第１のデバイス１のパラメータ処理装置５が第２のデバイス１のパラメータ処理装置５および第３のデバイス１のパラメータ処理装置５に対して第１のデバイス１に設定されたパラメータ６をコピーして送信し、第２のデバイス１のパラメータ処理装置５はパラメータ６を第２のデバイス１に設定し、第３のデバイス１のパラメータ処理装置５はパラメータ６を第３のデバイス１に設定する。
【００４１】
図２は、パラメータ処理装置５の機能的な構成の一例を示す図である。
【００４２】
図２に示すように、デバイス（第１のデバイス、第２のデバイス、第３のデバイス）は各デバイス１の機能に対応する処理を行うデバイスモジュール（例えば、プリンタでは印刷処理部、スキャナでは画像読取処理部）、デバイスモジュール７で行われる処理に対するパラメータを格納するパラメータ格納部８、パラメータ処理装置５から構成されている。
【００４３】
パラメータ処理装置５の機能的な構成について詳細に説明する。
【００４４】
パラメータ処理装置３は、クライアントＰＣ２のＷｅｂブラウザ９との応答処理を行うＷｅｂ  Ｓｅｒｖｅｒ部１０、パラメータ格納部８に対するパラメータの読み出し処理および書き込み処理を行うパラメータ処理部１１、認証処理を行う認証部１２、ネットワーク上のデバイスの検索処理を行うデバイス検索部１３、パラメータおよび認証情報等のデータ通信の制御処理を行う通信制御部１４、パラメータの設定に関するログに記録する処理を行うログ処理部１５、ログを格納するログ格納部１６から構成されている。なお、通信制御部１４は電子メールの処理を行う電子メール処理手段１７を有する。また、通信制御部１４が行うデータ通信で使用する通信プロトコルはＨＴＴＰ、ＦＴＰ、電子メールを送受信する際のＳＭＴＰ或いは印刷データの通信で使用されるＬＰＤ等、種類は問わない。
【００４５】
次に、ネットワーク上の複数のデバイス１にパラメータをコピーして設定する際に、パラメータ処理装置５が行う機能的な動作について図２を参照して詳細に説明する。なお、第１のデバイス１に設定されているパラメータをコピーして第２のデバイス１および第３のデバイス１に設定する場合を一例として説明する。
【００４６】
クライアントＰＣ２のＷｅｂブラウザ９は第１のデバイス１に対してパラメータコピー実行画面の要求を送信する。
【００４７】
第１のデバイス１のパラメータ処理装置５のＷｅｂ  Ｓｅｒｖｅｒ部１０はクライアントＰＣ２からのパラメータコピー実行画面の要求を受信すると、パラメータコピー実行画面をクライアントＰＣ２に送信する。
【００４８】
クライアントＰ２ＣのＷｅｂブラウザ９は第１のデバイス１からのパラメータコピー実行画面を受信すると、ディスプレイ（図示せず）にパラメータコピー実行画面を表示し、ディスプレイに表示されたパラメータコピー実行画面に第２のデバイス１のアドレスおよびパスワード、第３のデバイス１のアドレスおよびパスワード、パラメータコピーの実行結果の送信先の電子メールアドレスが入力されると、Ｗｅｂブラウザ９は第２のデバイス１のアドレスおよびパスワード、第３のデバイス１のアドレスおよびパスワード、パラメータコピーの実行結果の送信先の電子メールアドレスを第１のデバイス１に送信する。
【００４９】
第１のデバイス１のパラメータ処理装置５のＷｅｂ  Ｓｅｒｖｅｒ部１０はクライアントＰＣ２からの第２デバイス１のアドレスおよびパスワード、第３のデバイス１のアドレスおよびパスワード、パラメータコピーの実行結果の送信先の電子メールアドレスを受信すると、受信した第２のデバイス１のアドレスおよびパスワード、第３のデバイス１のアドレスおよびパスワード、パラメータコピーの実行結果の送信先の電子メールアドレスを通信制御部１４に渡すとともに、パラメータコピーの実行の指示を受け付けた旨を認証部１２およびパラメータ処理部１３に通知する。ここで、認証部１２はパラメータコピーの実行の指示を受け付けた通知を受け付けると、認証用ユーザ名を作成し、作成した認証用ユーザ名を通信制御部１４に渡し、また、パラメータ処理部１３はパラメータコピーの実行の指示を受け付けた通知を受け付けると、パラメータ格納部８から第１のデバイス１に対して設定されているパラメータを読み出し、読み出したパラメータに基づいて送信用パラメータを作成し、作成した送信用パラメータを通信制御部１４に渡す。なお、送信用パラメータはテキストでもバイナリデータでも良く、種類は問わない。また、送信用パラメータを暗号化しても良い。
【００５０】
通信制御部１４は第２のデバイス１のアドレスおよびパスワード、第３のデバイス１のアドレスおよびパスワードを受け取ると、始めに、第２のデバイス１のアドレスに基づき、パラメータコピーを目的とする接続の要求を第２のデバイス１に送信する。
【００５１】
第２のデバイス１のパラメータ処理装置５の通信制御部１４は第１のデバイス１からのパラメータコピーを目的とする接続の要求を受信すると、認証の要求を第１のデバイス１に送信する。また、第２のデバイス１のパラメータ処理装置５の通信制御部１４は第１のデバイス１からのパラメータコピーを目的としない接続の要求を受信すると、接続拒否を第１のデバイス１に送信し、第１のデバイス１のパラメータ処理装置５の通信制御部１４は第２のデバイス１からの接続拒否を受信すると、接続拒否を受信した旨をログ処理部１５に通知し、ログ処理部１５は接続拒否を受信した通知を受け付けると、パラメータコピー失敗をログに記録し、記録したログをログ格納部１６に格納する。
【００５２】
第１のデバイス１のパラメータ処理装置５の通信制御部１４は第２のデバイス１からの認証の要求を受信すると、認証用ユーザ名および第２のデバイス１のパスワードを第２のデバイスに送信する。
【００５３】
第２のデバイス１のパラメータ処理装置５の通信制御部１４は第１のデバイス１からの認証用ユーザ名および第２のデバイス１のパスワードを受信すると、受信した認証用ユーザ名および第２のデバイス１のパスワードを認証部に渡し、認証部１２は認証用ユーザ名および第２のデバイス１のパスワードを受け取ると、受け取った認証用ユーザ名および第２のデバイス１のパスワードの認証を行う。ここで、認証用ユーザ名および第２のデバイス１のパスワードが合致しない場合、認証部１２は認証できなかった旨を通信制御部１４に通知し、通信制御部１４は認証できなかった通知を受け付けると、パラメータコピーの拒否を第１のデバイス１に送信する。なお、認証として、ＨＴＴＰのＢＡＳＩＣ認証を利用して、認証用ユーザ名にＭＩＢのｓｙｓＯｂｊｅｃｔＩＤを使用することで、デバイスのメーカーのみならず、機種毎にＩＤの定義が異なるため、機種の判定を兼ねることが可能になる。
【００５４】
第１のデバイス１の設定処理装置５の通信制御部１４は第２のデバイス１からのパラメータコピー拒否を受信すると、パラメータコピー拒否を受信した旨をログ処理部１５に通知し、ログ処理部１５はパラメータコピー拒否を受信した通知を受け付けると、パラメータコピー失敗をログに記録し、記録したログをログ格納部１６に格納する。
【００５５】
認証用ユーザ名および第２のデバイス１のパスワードが合致した場合、認証部１２は認証できた旨を通信制御部１４に通知し、通信制御部１４は認証できた通知を受け付けると、パラメータコピーの許可を第１のデバイス１に送信する。
【００５６】
第１のデバイス１のパラメータ処理装置５の通信制御部は第２のデバイス１からのパラメータコピーの許可を受信すると、送信用パラメータおよびパラメータコピーの実行結果の送信先の電子メールアドレスを第２のデバイス１に送信する。
【００５７】
第２のデバイス１のパラメータ処理装置５の通信制御部１４は第１のデバイス１からの送信用パラメータおよびパラメータコピーの実行結果の送信先の電子メールアドレスを受信すると、受信した送信用パラメータをパラメータ処理部１１に渡し、パラメータ処理部１１は送信用パラメータを受け取ると、受け取った送信用パラメータに基づいてパラメータ格納部８にパラメータを設定する。なお、第１のデバイス１のパラメータと共通のものについてはそのまま設定を行い、第１のデバイス１のパラメータと共通ではないものについては、設定を行わない。例えば、デバイスがプリンタであり、３段トレイモデルから１段トレイモデルにパラメータコピーした場合、１段目のみのパラメータを設定する。また、パラメータが共通であったとしても、コピーを許可しない設定を予めパラメータに設定することも可能である。また、パラメータの受信が完了した電子メールをパラメータコピーの実行結果の送信先の電子メールアドレス宛に送信する構成でも適用可能である。
【００５８】
パラメータ処理部１１はパラメータの設定が完了すると、パラメータの設定の実行結果をログ処理部１５に渡し、ログ処理部１５は実行結果を受け取ると、受け取った実行結果をログに記録し、記録したログをログ格納部１６に格納する。
【００５９】
また、パラメータ処理部１１はパラメータの設定が完了すると、パラメータの設定が完了した旨を通信制御部１４に通知し、通信制御部１４はパラメータの設定が完了した通知を受け付けると、パラメータの設定の完了を第１のデバイス１に送信する。
【００６０】
第１のデバイス１のパラメータ処理装置５の通信制御部１４は第２のデバイス１からのパラメータ設定の完了を受信すると、第２のデバイス１がパラメータ設定を完了した旨をログ処理部１５に通知し、ログ処理部１５は第２のデバイス１がパラメータ設定を完了した通知を受け付けると、第２のデバイス１がパラメータ設定を完了したことをログに記録し、記録したログをログ格納部１６に格納する。
【００６１】
通信制御部１４は第２のデバイス１からのパラメータ設定の完了を受信すると、第３のデバイス２のアドレスに基づき、パラメータコピーを目的とする接続の要求を第３のデバイス１に送信する。なお、その後の第１のデバイス１のパラメータ処理装置５と第３のデバイス１のパラメータ処理装置５との応答は、上記実施例と同様であるため、詳細な説明は省略する。
【００６２】
そして、第１のデバイス１のパラメータ処理装置５の通信制御部１４は第３のデバイス１からのパラメータ設定の完了を受信すると、動作を終了する。
【００６３】
次に、パラメータの設定が完了したデバイス１がパラメータコピーの実行結果を指定された電子メールアドレス宛に送信する際に、パラメータ処理装５置が行う機能的な動作について図２を参照して詳細に説明する。なお、第１のデバイス１に設定されているパラメータをコピーして第２のデバイス１および第３のデバイス１に設定し、パラメータコピーの実行結果の送信先をクライアントＰＣ２とする場合を一例として説明する。
【００６４】
第２のデバイス１のパラメータ処理装置５のログ処理部１５はパラメータコピーの実行結果を記録したログに基づいてパラメータコピー実行反映結果を作成し、作成したパラメータコピー実行反映結果を通信制御部１４に渡し、通信制御部１４はパラメータコピー実行反映結果を受け取ると、電子メール処理手段１７はパラメータコピー実行反映結果を添付した電子メールを作成し、通信制御部１４はパラメータコピー実行反映結果を添付した電子メールをクライアントＰＣ宛に送信し、電子メールサーバ３は第２のデバイス２からの電子メールをクライアントＰＣ２に送信し、クライアントＰＣ２は電子メールを受信する。なお、第３のデバイス２のパラメータ処理装置５も同様な動作を行うため、詳細な説明は省略する。従って、クライアントＰＣ２でパラメータコピー実行反映結果を確認することができる。なお、上記動作をパラメータを受信した際のパラメータ受信結果に適用しても良い。
【００６５】
次に、パラメータの設定が完了したデバイス１がパラメータコピー実行反映結果画面を作成し、作成したパラメータコピー実行反映結果画面のＵＲＬ（Uniform Resource Locator）を指定された電子メールアドレス宛に送信する際に、パラメータ処理装置５が行う機能的な動作について図２を参照して詳細に説明する。なお、第１のデバイス１に設定されているパラメータをコピーして第２のデバイス１および第３のデバイス２に設定し、パラメータコピーの実行結果の送信先をクライアントＰＣ２とする場合を一例として説明する。
【００６６】
第２のデバイス１のパラメータ処理装置５のログ処理部１５はパラメータコピーの実行結果を記録したログをＷｅｂ  Ｓｅｒｖｅｒ部１０に渡し、Ｗｅｂ  Ｓｅｒｖｅｒ部１０はログを受け取ると、受け取ったログに基づいてパラメータコピー実行反映結果画面を作成し、作成したパラメータコピー実行結果一覧画面のＵＲＬを通信制御部１４に渡し、通信制御部１４はパラメータコピー実行反映結果画面のＵＲＬを受け取ると、電子メール処理手段１７はパラメータコピー実行反映結果のＵＲＬを添付した電子メールを作成し、通信制御部１４はパラメータコピー実行反映結果のＵＲＬを添付した電子メールをクライアントＰＣ宛に送信し、電子メールサーバ３は第２のデバイス１からの電子メールをクライアントＰＣ２に送信し、クライアントＰＣ２は電子メールを受信する。なお、第３のデバイス１のパラメータ処理装置５も同様な動作を行うため、詳細な説明は省略する。。従って、クライアントＰＣ２で電子メールに添付されたＵＲＬにアクセスすることでパラメータをコピーしたデバイス１が作成したパラメータコピー実行反映結果画面を確認することができる。なお、上記動作をパラメータを受信した際のパラメータ受信結果に適用しても良い。
【００６７】
次に、パラメータの設定が完了したデバイス１がパラメータコピーの実行結果をパラメータを送信したデバイス宛に送信する際に、パラメータ処理装置５が行う機能的な動作について図２を参照して詳細に説明する。なお、第１のデバイス１に設定されているパラメータをコピーして第２のデバイス１および第３のデバイス１に設定する場合を一例として説明する。
【００６８】
第２のデバイス１のパラメータ処理装置５のログ処理部１５はパラメータコピーの実行結果を記録したログに基づいてパラメータコピー実行反映結果を作成し、作成したパラメータコピー実行反映結果を通信制御部１４に渡し、通信制御部１４はパラメータコピー実行反映結果を受け取ると、電子メール処理手段１７はパラメータコピー実行反映結果を添付した電子メールを作成し、通信制御部１４はパラメータコピー実行反映結果を添付した電子メールを第１のデバイス宛に送信し、電子メールサーバ３は第２のデバイス１からの電子メールを第１のデバイス１に送信する。なお、第３のデバイス１のパラメータ処理装置５も同様な動作を行うため、詳細な説明は省略する。
【００６９】
第１のデバイス１のパラメータ処理装置５の通信制御部１４は第２のデバイス１からの電子メールを受信すると、電子メール処理手段１７は電子メールに添付されたパラメータコピー実行反映結果を取り出し、通信制御部１４はパラメータコピー実行反映結果をＷｅｂ  Ｓｅｒｖｅｒ部１０に渡し、Ｗｅｂ  Ｓｅｒｖｅｒ部１０はパラメータコピー実行反映結果を受け取ると、受け取ったパラメータコピー実行反映結果に基づいてパラメータコピー実行反映結果画面を作成する。なお、第３のデバイス１のパラメータ処理装置５も同様な動作を行うため、詳細な説明は省略する。ここで、Ｗｅｂ  Ｓｅｒｖｅｒ部１０が複数のデバイス１から受信した複数のパラメータコピー実行反映結果の一覧画面を作成する構成でも適用可能である。また、第１のデバイス１がプリンタである場合はパラメータコピー実行反映結果をデバイスモジュール７である印刷処理部で印刷する構成でも適用可能である。また、第２のデバイス１がプリンタである場合はパラメータコピー実行反映結果をデバイスモジュール７である印刷処理部で印刷する構成でも適用可能である。なお、上記動作をパラメータを受信した際のパラメータ受信結果に適用しても良い。
【００７０】
次に、ネットワーク上の複数のデバイス１にパラメータをコピーして設定する際に、パラメータ処理装置５が行うパラメータ送信処理の手順について図３を示すフローチャートを参照して説明する。
【００７１】
クライアントＰＣからパラメータコピー実行画面の要求を受信すると（ステップＳ３０１でＹＥＳ）、パラメータコピー実行画面をクライアントＰＣに送信し（ステップＳ３０２）、クライアントＰＣからアドレス、パスワードおよびパラメータコピーの実行結果の送信先の電子メールアドレスを受信すると（ステップＳ３０３でＹＥＳ）、認証用ユーザ名および送信用パラメータを作成し（ステップＳ３０４）、指定されたアドレスのデバイスのパラメータ処理装置に接続を要求する（ステップＳ３０５）。
【００７２】
デバイスのパラメータ処理装置から認証要求の通知が有ると（ステップＳ３０６でＹＥＳ）、認証用ユーザ名およびパスワードをデバイスのパラメータ処理装置に送信する（ステップＳ３０７）。
【００７３】
デバイスのパラメータ処理装置からパラメータコピー許可の通知が有ると（ステップＳ３０８でＹＥＳ）、送信用パラメータおよびパラメータコピーの実行結果の送信先の電子メールアドレスをデバイスに送信し（ステップＳ３０９）、デバイスから設定完了の通知が有ると（ステップＳ３１０でＹＥＳ）、ログに完了を記録し（ステップＳ３１１）、ステップＳ３１３に進む。
【００７４】
デバイスのパラメータ処理装置から認証要求の通知が無い場合（ステップＳ３０６でＮＯ）またはデバイスのパラメータ処理装置からパラメータコピー拒否の通知が有ると（ステップＳ３０８でＮＯ）、ログに失敗を記録し（ステップＳ３１２）、ステップＳ３１３に進む。
【００７５】
指定されたアドレスのデバイスがまだ有る場合（ステップＳ３１３でＹＥＳ）、ステップＳ３０５に戻る。
【００７６】
指定されたアドレスのデバイスのパラメータ処理装置が無い場合（ステップＳ３１３でＮＯ）、パラメータ送信処理を終了する。
【００７７】
次に、送信先のデバイスのパラメータ処理装置からのパラメータをデバイスに設定する際にパラメータ処理装置が行うパラメータ受信処理の手順について図４を示すフローチャートを参照して説明する。
【００７８】
送信先のデバイスのパラメータ処理装置から接続の要求が有ると（ステップＳ４０１でＹＥＳ）、その接続の目的を認識する（ステップＳ４０２）。
【００７９】
接続の目的がパラメータコピーである場合（ステップＳ４０２でＹＥＳ）、送信先のデバイスのパラメータ処理装置に認証を要求し（ステップＳ４０３）、その応答として認証用ユーザ名およびパスワードを受信すると（ステップＳ４０４でＹＥＳ）、受信した認証用ユーザ名およびパスワードに基づいて認証を実施する（ステップＳ４０５）。
【００８０】
認証用ユーザ名およびパスワードが合致した場合（ステップＳ４０６でＹＥＳ）、送信先のデバイスのパラメータ処理装置にコピー許可を送信し（ステップＳ４０７）、その応答として送信用パラメータおよびパラメータコピーの実行結果の送信先の電子メールアドレスを受信すると（ステップＳ４０８でＹＥＳ）、パラメータの設定を実施し（ステップＳ４０９）、送信先のデバイスのパラメータ処理装置に設定完了を送信し（ステップＳ４１０）、ログに実行情報を記録し（ステップＳ４１１）、パラメータ受信処理を終了する。
【００８１】
接続の目的がパラメータコピーではない場合（ステップＳ４０２でＮＯ）、送信先のデバイスのパラメータ処理装置にＮｏｔ  Ｆｏｕｎｄを送信し（ステップＳ４１２）、パラメータ受信処理を終了する。
【００８２】
認証用ユーザ名およびパスワードが合致しなかった場合（ステップＳ４０６でＮＯ）、送信先のデバイスのパラメータ処理装置にパラメータコピー拒否を送信し（ステップＳ４１３）、パラメータ受信処理を終了する。
【００８３】
次に、パラメータの設定が完了したデバイスがパラメータコピーの実行結果を指定された電子メールアドレス宛に送信する際に、パラメータ処理装置が行う電子メール送信処理について図５に示すフローチャートを参照して説明する。
【００８４】
パラメータコピーの実行結果を記録したログを読み出し（ステップＳ５０１）、読み出しログに基づいてパラメータコピー実行反映結果を作成し（ステップＳ５０２）、作成したパラメータコピー実行反映結果を添付した電子メールを作成し（ステップＳ５０３）、作成したパラメータコピー実行反映結果を添付した電子メールをパラメータコピーの実行結果の送信先の電子メールアドレス宛に送信し（ステップＳ５０４）、電子メール送信処理を終了する。
【００８５】
次に、パラメータの設定が完了したデバイスがパラメータコピー実行反映結果画面を作成し、作成したパラメータコピー実行反映結果画面のＵＲＬを指定された電子メールアドレス宛に送信する際に、パラメータ処理装置が行う電子メール送信処理について図６に示すフローチャートを参照して説明する。
【００８６】
パラメータコピーの実行結果を記録したログを読み出し（ステップＳ６０１）、読み出しログに基づいてパラメータコピー実行反映結果画面を作成し（ステップＳ６０２）、作成したパラメータコピー実行反映結果画面のＵＲＬを添付した電子メールを作成し（ステップＳ６０３）、作成したパラメータコピー実行反映結果画面のＵＲＬを添付した電子メールをパラメータコピーの実行結果の送信先の電子メールアドレス宛に送信し（ステップＳ６０４）、電子メール送信処理を終了する。
【００８７】
次に、パラメータの設定が完了したデバイスがパラメータコピーの実行結果をパラメータを送信したデバイス宛に送信する際に、パラメータ処理装置が行う電子メール送信処理について図７に示すフローチャートを参照して説明する。
【００８８】
パラメータコピーの実行結果を記録したログを読み出し（ステップＳ７０１）、読み出しログに基づいてパラメータコピー実行反映結果を作成し（ステップＳ７０２）、作成したパラメータコピー実行反映結果を添付した電子メールを作成し（ステップＳ７０３）、作成したパラメータコピー実行反映結果を添付した電子メールをパラメータを送信したデバイス宛に送信し（ステップＳ７０４）、電子メール送信処理を終了する。
【００８９】
次に、パラメータの設定が完了したデバイスからパラメータコピーの実行結果が添付された電子メールを受信し、当該パラメータコピーの実行結果に基づいてパラメータコピー実行反映結果画面を作成する際に、パラメータ処理装置が行うパラメータコピー実行反映結果画面作成処理について図８に示すフローチャートを参照して説明する。
【００９０】
パラメータの設定が完了したデバイスからパラメータコピー実行反映結果が添付された電子メールを受信すると（ステップＳ８０１でＹＥＳ）、受信した電子メールに添付されたパラメータ実行反映結果に基づいてパラメータコピー実行反映結果画面を作成し（ステップＳ８０２）、パラメータコピー実行反映結果画面作成処理を終了する。
【００９１】
次に、パラメータコピー実行画面について詳細に説明する。
【００９２】
図９は、パラメータコピー実行画面の一例を示す図である。
【００９３】
図９に示すように、パラメータコピー実行画面にはパラメータをコピーするデバイスのアドレスを入力するアドレス入力欄、当該デバイスのパスワードを入力するパスワード入力欄、パラメータコピー実行反映結果の送信先の電子メールアドレスを入力する電子メールアドレス入力欄、パラメータのコピーの実行を指示するコピー実行ボタンが表示されている。
【００９４】
例えば、図１に示す第１のデバイスに設定されたパラメータを第２のデバイスおよび第３のデバイスにコピーして設定するために、第１のデバイスのパラメータ処理装置のＷｅｂ  Ｓｅｒｖｅｒ部から図７に示すパラメータコピー実行画面を受信して表示した場合、第２のデバイスのアドレス（aaa.bbb.ccc.ddd）をアドレス入力欄に入力し、第２のデバイスのパスワードをパスワード入力欄に入力し、第３のデバイスのアドレス（eee.fff.ggg.hhh）をアドレス入力欄に入力し、第３のデバイスのパスワードをパスワード入力欄に入力する。
【００９５】
そして、図７に示す状態で、コピー実行ボタンを押下すると、第１のデバイスに設定されたパラメータの第２のデバイスおよび第３のデバイスに対する設定が開始され、第２のデバイスおよび第３のデバイスはパラメータの設定が完了すると、電子メールアドレス入力欄に入力された電子メールアドレス（iii@jjj.com）にパラメータコピー実行反映結果若しくはパラメータコピー実行反映結果画面のＵＲＬを添付した電子メールを送信する。なお、アドレスを内部でキューイングし、全てのデバイスの設定完了を待たずに、次の入力を可能としても良い。
【００９６】
なお、パスワードはデバイス毎に入力することが可能であるが、複数アドレスの入力を簡易化するために、パラメータコピー実行画面でのパスワードの入力を省略し、自機のパスワードを代替として使用しても良い。
【００９７】
次に、パラメータコピー実行反映結果を添付した電子メールについて詳細に説明する。
【００９８】
図１０は、パラメータコピー実行反映結果を添付した電子メールの一例を示す図である。
【００９９】
図１０に示すように、パラメータコピー実行反映結果を添付した電子メールにはコピーを実行したパラメータの実行反映結果が表示されている。
【０１００】
例えば、図１０に示すパラメータコピー実行反映結果を添付した電子メールから、「ジョブタイムアウト時間」へのパラメータの設定が完了したこと、「節電時間」へのパラメータの設定が完了したこと、「トレイ２用紙サイズ」へのパラメータの設定が完了したこと、サポートしていないパラメータ等の理由により「トレイ３用紙サイズ」へのパラメータの設定が不可能であったことが分かる。
【０１０１】
次に、パラメータコピー実行反映結果画面のＵＲＬを添付した電子メールについて詳細に説明する。
【０１０２】
図１１は、パラメータコピー実行反映結果画面のＵＲＬを添付した電子メールの一例を示す図である。
【０１０３】
図１１に示すように、電子メールにはパラメータコピー実行反映結果画面にアクセスするためのＵＲＬ（aaa.bbb.ccc.ddd）が表示されており、このＵＲＬをクリック等することで、デバイスから図１２に示すパラメータコピー実行反映結果画面を取得することができる。
【０１０４】
次に、パラメータコピー実行反映結果画面について詳細に説明する。
【０１０５】
図１２は、パラメータコピー実行反映結果画面の一例を示す図である。
【０１０６】
図１２に示すように、パラメータコピー実行反映結果画面にはコピーを実行したパラメータの実行反映結果が表示されている。
【０１０７】
例えば、図１２に示すパラメータコピー実行反映結果画面から、「ジョブタイムアウト時間」へのパラメータの設定が完了したこと、「節電時間」へのパラメータの設定が完了したこと、「トレイ２用紙サイズ」へのパラメータの設定が完了したこと、サポートしていないパラメータ等の理由により「トレイ３用紙サイズ」へのパラメータの設定が不可能であったことが分かる。
【０１０８】
なお、コピーを実行するのはパラメータに限定する必要は無く、例えば、ファームウェア等のアプリケーションでも良い。
【図面の簡単な説明】
【０１０９】
【図１】複数のデバイス１とクライアントＰＣ２と電子メールサーバ３とがネットワーク４を介して接続する構成の一例を示す図である。
【図２】パラメータ処理装置５の機能的な構成の一例を示す図である。
【図３】ネットワーク上の複数のデバイス１にパラメータをコピーして設定する際に、パラメータ処理装置５が行うパラメータ送信処理の手順を示すフローチャートである。
【図４】送信先のデバイスのパラメータ処理装置からのパラメータをデバイスに設定する際にパラメータ処理装置が行うパラメータ受信処理の手順を示すフローチャートである。
【図５】パラメータの設定が完了したデバイスがパラメータコピーの実行結果を指定された電子メールアドレス宛に送信する際に、パラメータ処理装置が行う電子メール送信処理を示すフローチャートである。
【図６】パラメータの設定が完了したデバイスがパラメータコピー実行反映結果画面を作成し、作成したパラメータコピー実行反映結果画面のＵＲＬを指定された電子メールアドレス宛に送信する際に、パラメータ処理装置が行う電子メール送信処理を示すフローチャートである。
【図７】パラメータの設定が完了したデバイスがパラメータコピーの実行結果をパラメータを送信したデバイス宛に送信する際に、パラメータ処理装置が行う電子メール送信処理を示すフローチャートである。
【図８】パラメータの設定が完了したデバイスからパラメータコピーの実行結果が添付された電子メールを受信し、当該パラメータコピーの実行結果に基づいてパラメータコピー実行反映結果画面を作成する際に、パラメータ処理装置が行うパラメータコピー実行反映結果画面作成処理を示すフローチャートである。
【図９】パラメータコピー実行画面の一例を示す図である。
【図１０】パラメータコピー実行反映結果を添付した電子メールの一例を示す図である。
【図１１】パラメータコピー実行反映結果画面のＵＲＬを添付した電子メールの一例を示す図である。
【図１２】パラメータコピー実行反映結果画面の一例を示す図である。
【符号の説明】
【０１１０】
１    デバイス
２    クライアントＰＣ
３    電子メールサーバ
４    ネットワーク
５    パラメータ処理装置
６    パラメータ
７    デバイスモジュール
８    パラメータ格納部
９    Ｗｅｂブラウザ
１０    Ｗｅｂ  Ｓｅｒｅｒ部
１１    パラメータ処理部
１２    認証部
１３    デバイス検索部
１４    通信制御部
１５    ログ処理部
１６    ログ格納部
１７    電子メール処理手段
【図１】
2005301612.tif 000003
【図２】
2005301612.tif 000004
【図３】
2005301612.tif 000005
【図４】
2005301612.tif 000006
【図５】
2005301612.tif 000007
【図６】
2005301612.tif 000008
【図７】
2005301612.tif 000009
【図８】
2005301612.tif 000010
【図９】
2005301612.tif 000011
【図１０】
2005301612.tif 000012
【図１１】
2005301612.tif 000013
【図１２】
2005301612.tif 000014